(57)【要約】【課題】ロッドのフック部をロック部に係合しない状態に保持できると共に、一対のロッドのフック部の外方への突出量のばらつきを抑制できる、開閉体のロック装置を提供する。【解決手段】このロック装置１０は、ベース部材２０と、回転体４０と、フック部を設けた一対のリンクロッドと、回転体４０を回転付勢するトーションバネ１２と、ベース部材２０に対して押し込み可能に取付けられた操作部材５０と、操作部材５０リンクロッドの各フック部をロック部に係合しない位置までスライドさせると、回転体４０に係合して回転規制し、トーションバネ１２の付勢力に抗して、フック部がロック部に係合する状態に戻るのを規制すると共に、開閉体を閉じると、回転体４０との係合を解除して、フック部をロック部に係合させるストッパ６０とを備えている。【選択図】図９
2014095232.tif 000002
【特許請求の範囲】
【請求項１】
固定体の開口部に開閉可能に取付けられる開閉体のロック装置であって、
前記開閉体の両側又は前記固定体の開口部両側のどちらか一方に設けられたロック部と、
前記開閉体又は前記固定体のどちらか他方に回動可能に取付けられた回転体と、
前記回転体の回転に連動して同期してスライド動作し、先端に形成されたフック部が前記ロック部に係脱する一対のリンクロッドと、
前記リンクロッドの各フック部を前記ロック部に係合させる方向に、前記リンクロッドを付勢する付勢手段と、
前記一対のリンクロッドの各フック部を、前記付勢手段の付勢力に抗して前記ロック部に係合しない方向にスライドさせる操作部材と、
前記操作部材により前記リンクロッドの各フック部を前記ロック部に係合しない位置までスライドさせると、前記回転体に係合して同回転体の回転を規制し、前記付勢手段の付勢力に抗して前記フック部が前記ロック部に係合する状態に戻るのを規制すると共に、前記開閉体を閉じると、前記回転体との係合を解除して、前記フック部を前記ロック部に係合させるストッパとを備えていることを特徴とする開閉体のロック装置。
【請求項２】
前記回転体及び前記ストッパは、前記開閉体又は前記固定体のどちらか他方に取付けられた共通のベース部材に組み付けられている請求項１記載の開閉体のロック装置。
【請求項３】
前記ベース部材には、更に前記操作部材が組み付けられている請求項２記載の開閉体のロック装置。
【請求項４】
前記回転体は、その外周の対向する部分から外径方向に向けてアーム部がそれぞれ延出されており、これらのアーム部に前記一対のリンクロッドの基端が枢着されており、所定のアーム部の側面に前記ストッパが当接して係合するように構成されている請求項１〜３のいずれか１つに記載の開閉体のロック装置。
【発明の詳細な説明】
【技術分野】
【０００１】
本発明は、固定体の開口部に開閉可能に取付けられる開閉体を閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。
【０００３】
このようなロック装置として、例えば、開口部に開閉可能に取付られたリッドに、スライド可能に設置された一対のロッドと、両ロッドの先端部を、開口部内面の凹部に向けて突出する方向に付勢するリターンスプリングとを備えたものが知られている。しかし、このロック装置では、リッドを閉じるときに、ロッド先端部が開口部内周面に当接するため、その際の打音が問題となることがあった。
【０００４】
上記問題を解消するため、下記特許文献１には、開閉部材と、内装部材に設けた凹部と、該凹部に出入りする左右一対のロッドと、これらのロッドの先端部を凹部側へ付勢するリターンスプリングとを備え、リターンスプリングの付勢力に抗して、一対のロッドが凹部から押し出され開閉部材が開いたときに、ロッドの戻りを防止する一本のピンと、該ピンを付勢するピン付勢バネとを有する車両用収納装置が記載されている。
【０００５】
前記一対のロッドは、基端部にラック溝がそれぞれ形成され、これらにギヤが歯合し、このギヤを介して一対のロッドが互いに反対方向に同期してスライドするようになっている。一方のロッドの途中には、ピンに設けた円筒部に係合する凸部が突設されている。他方のロッドには、引張りばね状のリターンスプリングが装着され、その先端部が凹部に向けて付勢されていると共に、ギヤを介して一方のロッドの先端部も凹部に向けて付勢されている。また、内装部材側には、プッシュ式のノブが配設されている。
【０００６】
そして、一対のロッドの先端部が内装部材の凹部に嵌合し、開口部が閉塞部材で閉じた状態でノブを押し込むと、一方のロッドの先端部を押圧し、リターンスプリングの付勢力に抗して同ロッドを開閉部材内方に引き込み、これに同期して他方のロッドも引き込まれ、両ロッドの先端部が凹部からそれぞれ外れて、開閉部材が開くようになっている。
【０００７】
このとき、リターンスプリングの付勢力により、一対のロッドが外方に押し出されるようになっているが、ピン根元の円筒部に一方のロッドの凸部が係合して、一方のロッドの先端部の外方への突出量が規制されると共に、ギヤを介して他方のロッドの先端部の外方への突出量も規制されるので、開閉部材を閉じるときの、ロッド先端部と内装部材内面とのラップ代が低減され、その摺接音が低減される。
【先行技術文献】
【特許文献】
【０００８】
【特許文献１】特許第４２４５５２８号公報
【発明の概要】
【発明が解決しようとする課題】
【０００９】
上記特許文献１の場合、一対のロッドのうち、一方のロッドのみをピンの円筒部に係合させることで外方への突出量を規制すると共に、ギヤを介して他方のロッドの先端部の突出量を規制している。
【００１０】
しかしながら、一方のロッドの突出量は、ピンの円筒部で規制できるものの、他方のロッドの先端部の突出量は、一方のロッドのラック溝とギヤとのガタ付き、並びに、他方のロッドのラック溝とギヤとのガタ付きの、両方の影響を受けるため、一方のロッドの突出量よりも他方のロッドの突出量の方が多くなる傾向があった。
【００１１】
このように、一対のロッドの先端部の突出量が異なる場合、開閉部材を閉じるときに、どちらかのロッドの先端部が開口部内周に引っ掛かったりすることがあり、開閉部材を閉じるときのスムーズな動作に支障をきたす恐れがある。
【００１２】
したがって、本発明の目的は、開閉体を開いたときに、一対のロッドの先端部の外方への突出量のばらつきを抑制することができる、開閉体のロック装置を提供することにある。
【課題を解決するための手段】
【００１３】
上記目的を達成するため、本発明は、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に回動可能に取付けられた回転体と、前記回転体の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢する付勢手段と、前記一対のリンクロッドの各フック部を、前記付勢手段の付勢力に抗して前記ロック部に係合しない方向にスライドさせる操作部材と、前記操作部材により前記リンクロッドの各フック部を前記ロック部に係合しない位置までスライドさせると、前記回転体に係合して同回転体の回転を規制し、前記付勢手段の付勢力に抗して前記フック部が前記ロック部に係合する状態に戻るのを規制すると共に、前記開閉体を閉じると、前記回転体との係合を解除して、前記フック部を前記ロック部に係合させるストッパとを備えていることを特徴とする開閉体のロック装置を提供するものである。
【００１４】
本発明の開閉体のロック装置においては、前記回転体及び前記ストッパは、前記開閉体又は前記固定体のどちらか他方に取付けられた共通のベース部材に組み付けられていることが好ましい。
【００１５】
本発明の開閉体のロック装置においては、前記ベース部材には、更に前記操作部材が組み付けられていることが好ましい。
【００１６】
本発明の開閉体のロック装置においては、前記回転体は、その外周の対向する部分から外径方向に向けてアーム部がそれぞれ延出されており、これらのアーム部に前記一対のリンクロッドの基端が枢着されており、所定のアーム部の側面に前記ストッパが当接して係合するように構成されていることが好ましい。
【発明の効果】
【００１７】
本発明によれば、固定体の開口部を開閉体で閉じて、リンクロッドの各フック部をロック部に係合させることで、開閉体を閉じた状態にロックすることができる。
【００１８】
この状態で操作部材を操作し、付勢手段の付勢力に抗して、リンクロッドの各フック部をロック部に係合しない位置までスライドさせると、ストッパが回転体に係合して、回転体の回転が規制されるので、フック部がロック部に係合しない状態に保持され、固定体の開口部から開閉体を開くことができる。
【００１９】
再び開閉体を閉じると、ストッパと回転体との係合が解除されて、その回転規制が解除されるので、回転体を介して一対のリンクロッドの各フック部がロック部に係合して、開閉体が閉じた状態に保持される。
【００２０】
そして、このロック装置においては、ストッパを回転体に係合させて、その回転を規制するように構成されているので、回転体に連動する一対のリンクロッドの各フック部の突出量のばらつきを抑制することができ、各フック部の突出量のばらつきによる支障を防止して、開閉体をスムーズに閉じることができる。
【図面の簡単な説明】
【００２１】
【図１】本発明に係る開閉体のロック装置の第１実施形態を示す分解斜視図である。
【図２】同ロック装置の要部拡大斜視図である。
【図３】同ロック装置を構成するベース部材を示しており、（Ａ）はその斜視図、（Ｂ）は（Ａ）とは異なる方向から見た斜視図である。
【図４】同ロック装置を構成する回転体を示しており、（Ａ）はその斜視図、（Ｂ）は（Ａ）とは異なる方向から見た斜視図である。
【図５】同ロック装置を構成する操作部材を示しており、（Ａ）はその斜視図、（Ｂ）は（Ａ）とは異なる方向から見た斜視図である。
【図６】同ロック装置において、ストッパによる回転体の回転規制が解除された状態での、要部拡大斜視図である。
【図７】同状態での要部背面図である。
【図８】同状態での要部側面図である。
【図９】同ロック装置において、ストッパにより回転体の回転規制がなされた状態での、要部拡大斜視図である。
【図１０】同状態での要部背面図である。
【図１１】同状態での要部側面図である。
【図１２】同ロック装置を用いて開閉体を閉じた状態を示しており、（Ａ）はその平面図、（Ｂ）は正面図である。
【図１３】同ロック装置を用いて開閉体を開いた状態を示しており、（Ａ）はその平面図、（Ｂ）は正面図である。
【図１４】本発明に係る開閉体のロック装置の第２実施形態を示しており、その拡大斜視図である。
【図１５】同ロック装置において、図１４とは異なる方向から見た斜視図である。
【図１６】同ロック装置において、ストッパによる回転体の回転規制が解除された状態での、要部拡大斜視図である。
【図１７】同ロック装置において、ストッパにより回転体の回転規制がなされた状態での、要部拡大斜視図である。
【図１８】本発明に係る開閉体のロック装置の第３実施形態を示しており、その拡大斜視図である。
【図１９】同ロック装置において、ストッパによる回転体の回転規制が解除された状態での、要部拡大斜視図である。
【図２０】同ロック装置において、ストッパにより回転体の回転規制がなされた状態での、要部拡大斜視図である。
【図２１】本発明に係る開閉体のロック装置の第４実施形態を示しており、その分解斜視図である。
【図２２】同ロック装置において、ストッパにより回転体の回転規制がなされた状態での、要部拡大平面図である。
【図２３】同ロック装置において、ストッパにより回転体の回転規制がなされた状態での、要部拡大斜視図である。
【発明を実施するための形態】
【００２２】
以下、図１〜１３を参照して、本発明に係る開閉体のロック装置の第１実施形態について説明する。
【００２３】
図１に示すように、この実施形態における開閉体のロック装置１０（以下、「ロック装置１０」という）は、車両のインストルメントパネルに設けられたグローブボックス１（本発明における「固定体」）の開口部２に、開閉可能に取付けられるリッド５（本発明における「開閉体」）を開閉ロックするために用いられるものである。
【００２４】
図１２及び図１３に示すように、前記グローブボックス１の開口部２の両側部内面には、凹状のロック部３，３が設けられている。また、図２に示すように、開口部２の上部周縁からは、前方に向かって押圧突起４が突設されている。更に図１に示すように、前記リッド５は、長孔状の取付孔６ａが形成されたパネル６と、該パネル６の裏側上方に配設されたボックス７とを有し、その下部両側の支持片８を介して、グローブボックス１の開口部２に開閉可能に取付けられている。前記パネル６と前記ボックス７との間の内部空間に、ロック装置１０が配置されるようになっている。また、ボックス７の幅方向両側には、ロッド挿出孔７ａ，７ａがそれぞれ形成されている。
【００２５】
そして、この実施形態におけるロック装置１０は、図１に示すように、前記リッド５に取付けられたベース部材２０と、該ベース部材２０に回転可能に取付けられた回転体４０と、この回転体４０に連結された一対のリンクロッド７０，７１と、これらのリンクロッド７０，７１のフック部７３，７３を、前記ロック部３，３に係合する方向となるように、前記回転体４０を回転付勢するトーションバネ１２と、前記回転体４０の回転軸方向に沿って、ベース部材２０に押し込み可能に取付けられた操作部材５０と、前記ベース部材２０に対して前記操作部材５０を離れる方向に付勢する操作部材用バネ１４と、リンクロッド７０，７１の各フック部７３をロック部３に係合しない位置までスライドさせたときに、回転体４０に係合して回転規制し、各フック部７３をロック部３に係合する状態に戻るのを規制すると共に、リッド５を閉じたときに、回転体４０との係合を解除して、各フック部７３をロック部３に係合させるストッパ６０と、該ストッパ６０を前記回転体４０に係合する方向に付勢するストッパ用バネ１６と、から主として構成されている。
【００２６】
図４（Ａ）に示すように、前記トーションバネ１２は、コイル部１２ａ及び両端部１２ａ，１２ｃとからなり、本発明における「付勢手段」をなしている。また、図１に示すように、一対のリンクロッド７０，７１の先端には、外面がテーパ状をなしたフック部７３が形成され、基端部側には凹状の嵌合凹部７５が形成されている。
【００２７】
図３（Ａ），（Ｂ）に示すように、前記ベース部材２０は横長箱状をなし、その周壁２１の内部が仕切部２３によって区切られて、回転体４０や操作部材５０等が収容配置される枠状部２４と、キーシリンダ２６が挿入配置される筒状部２５とが幅方向に並列して設けられている。周壁２１の外周には複数の取付片２１ａが延設され、これらによりベース部材２０がリッド５に取付けられている。また、周壁２１の前面側の外周からは、リッド５の取付孔６ａの内周に係合するフランジ部２１ｂが突設されている。
【００２８】
図３（Ｂ）に示すように、前記枠状部２４の底部２４ａの前面側中央からは、円筒状の軸部２７が前面開口側へ向けて突設されている。前記枠状部２４の底部２４ａには、軸部２７を中心にして周方向の対向位置に、円弧状のピン移動孔２８，２８が形成されている（図３（Ｂ）及び図１２（Ｂ）参照）。一方のピン移動孔２８の端部内周には、トーションバネ１２の他端部１２ｃが係止する、バネ係止部２８ａが形成されている（図７参照）。また、枠状部２４の幅方向両側にガイド孔３１，３１が形成され、同枠状部２４の四隅にガイド孔３１ａがそれぞれ形成されている（図１２（Ｂ）参照）。
【００２９】
図３（Ｂ）に示すように、前記周壁２１の天井面２１ｃには、ベース部材２０の前後方向に沿って伸びる長孔状のスライド孔３０が、前記枠状部２４の内部空間に連通して形成されており、前記ストッパ６０の基部側がスライド可能に挿入される部分となっている。
【００３０】
また、このスライド孔３０の長手方向両側周縁からは、ストッパ６０のスライド動作をガイドするガイド壁３３，３３がそれぞれ立設されている。各ガイド壁３３の前方側には切欠き部３３ａが形成され、また、ガイド壁３３の内周であって、切欠き部３３ａよりも後方には、前後方向に沿ってガイド溝３３ｂがそれぞれ形成されている。更に、前記スライド孔３０の前面側周縁からは、ストッパ用バネ１６の一端部を支持するバネ支持壁３４が立設している。
【００３１】
次に、図４（Ａ），（Ｂ）を参照して、ベース部材２０に回転可能に取付けられる回転体４０について説明する。
【００３２】
この実施形態における回転体４０は、円筒状の筒部４１を有しており、この筒部４１内にベース部材２０の軸部２７が挿入されることで、回転体４０がベース部材２０に回転可能に支持されるようになっている。前記筒部４１の外周の対向部分からは、アーム部４３，４３が延設されており、各アーム部４３の先端部の後面側からピン４４が突設され、基端部の前面側からカム突起４５が突設されている。各カム突起４５は、先端面４５ａが円弧状をなすと共に、基端部の両側にバネ係止溝４５ｂが形成されている。
【００３３】
そして、前記トーションバネ１２のコイル部１２ａを、回転体４０の筒部４１から挿出された軸部２７の先端に外装すると共に（図４（Ａ）参照）、その一端部１２ｂをカム突起４５のバネ係止溝４５ｂに係止し、他端部１２ｃをベース部材２０のバネ係止部２８ａ（図７参照）させることにより、回転体４０が図７の矢印Ａ１方向に回転付勢されるようになっている。
【００３４】
また、リンクロッド７０，７１の嵌合凹部７５，７５に、回転体４０の各ピン４４，４４をそれぞれ嵌合させることで、一対のリンクロッド７０，７１は、回転体４０の外周の対向する位置に、その基端側が枢着される（図１及び図７参照）。その結果、一対のリンクロッド７０，７１は、図７の矢印Ａ１方向に回転付勢された回転体４０を介して、グローブボックス１のロック部３，３に係合する方向となるように、フック部７３，７３が互いに離れるように付勢されるようになっている。
【００３５】
次に、図５（Ａ），（Ｂ）を参照して、ベース部材２０に押し込み可能に取付けられた操作部材５０について説明する。
【００３６】
この操作部材５０は横長板状の押圧部５１を有し、その裏側中心からバネ支持部５２が突設されている。該押圧部５１の裏側の幅方向両側には、撓み可能な係止爪５３ａを有する係止片５３，５３が突設され、また、同押圧部５１の裏側の角部にはガイド片５４がそれぞれ突設されている。
【００３７】
そして、ベース部材２０の軸部２７に操作部材用バネ１４の一端部を支持させ、他端部をバネ支持部５２に支持させて、枠状部２４に操作部材５０を収容し、係止片５３，５３をガイド孔３１，３１に挿入すると共に、各ガイド片５４を各ガイド孔３１ａに挿入する。その結果、操作部材５０がスライドガイドされ、係止片５３の係止爪５３ａがガイド孔３１の端縁に係止して、ベース部材２０に操作部材５０が抜け止めされ、かつ、操作部材用バネ１４によって、常時はベース部材２０から離れる方向に付勢された状態で、操作部材５０がベース部材２０に押し込み可能に装着される。
【００３８】
前記押圧部５１の裏側からは、円弧状をなした一対の壁部５５，５５が立設されている。各壁部５５の端面は、周方向に沿って次第に高さが低く、かつ、周方向に沿って斜めにカットされたカム斜面５５ａをなし、これがカム突起４５（図４参照）に当接して操作部材５０の押し込み力を回転体４０の回転力へと変換する部分となっている。
【００３９】
そして、操作部材用バネ１４の付勢力に抗して、ベース部材２０に対して操作部材５０を押し込んでいくと、壁部５５のカム斜面５５ａにより、カム突起４５がそれぞれ押圧されてカム斜面５５ａ上を摺動すると共に、トーションバネ１２の回転付勢力に抗して、回転体４０が矢印Ａ２方向（図１２（Ｂ）参照）に回転し、一対のリンクロッド７０，７１のフック部７３，７３が、グローブボックス１のロック部３，３に係合しない方向にスライドするようになっている（図１３参照）。
【００４０】
次に、図２及び図６〜１１を参照して、回転体４０に係合し又は回転体４０との係合を解除して、ロック部３に対するリンクロッド７０，７１のフック部７３，７３の係脱状態を規制するストッパ６０について説明する。
【００４１】
この実施形態のストッパ６０は、前記ベース部材２０のスライド孔３０（図３（Ｂ）参照）に挿入され、ベース部材２０の前後方向にスライド可能とされた基部６１と、該基部６１の端部からグローブボックス１の開口部２側へ向けて、斜め上方に延出する延出部６２と、該延出部６２の端部から、操作部材５０の押込み方向に沿って延設し、開口部２に設けた押圧突起４に押圧される先端部６３とを有している。
【００４２】
図７及び図１０に示すように、前記基部６１の下端部は、前記スライド孔３０を通してベース部材２０の枠状部２４の内部空間に入り込んでいる。また、基部６１の両側には、前記ガイド壁３３のガイド溝３３ｂ（図３（Ａ）参照）に挿入されるガイドリブ６１ａ（図６，７参照）が突設されていると共に、同基部６１の前面側には、ストッパ用バネ１６の他端部を支持するバネ支持凹部６１ｂ（図２参照）が設けられている。
【００４３】
そして、ガイド壁３３の切欠き部３３ａ，３３ａに、基部６１のガイドリブ６１ａ，６１ａを整合させて、スライド孔３０の上方から基部６１を挿入し、ストッパ６０をベース部材後方に向けてスライドさせて、ガイドリブ６１ａ，６１ａをガイド壁３３のガイド溝３３ｂ，３３ｂに挿入すると共に、ストッパ用バネ１６の一端部をバネ支持壁３４に支持させ、他端部を基部６１のバネ支持凹部６１ｂに支持させることで、ストッパ用バネ１６の付勢力により、常時はストッパ６０がベース部材後方へ向けて付勢された状態で、ベース部材２０にストッパ６０がスライド可能に組み付けられるようになっている（図２参照）。
【００４４】
上記のように、ストッパ６０がベース部材後方側にスライドした状態では、その基部６１が回転体４０のアーム部４３の回転軌跡上に配置されて、回転体４０のアーム部４３の側面４３ａに係合し（図９〜１１参照）、一方、ストッパ用バネ１６の付勢力に抗してストッパ６０がベース部材前方側へスライドすると、その基部６１がアーム部４３の回転軌跡上から離れて、回転体４０のアーム部４３の側面４３ａから外れるようになっている（図６及び図８参照）。
【００４５】
上記ストッパ６０に関連して、回転体４０及びリンクロッド７０，７１の動作について説明する。
【００４６】
すなわち、ベース部材２０に対して操作部材５０を押し込み、トーションバネ１２の付勢力に抗して回転体４０を図１２（Ｂ）の矢印Ａ２方向に回転させ、リンクロッド７０，７１のフック部７３，７３を、グローブボックス１のロック部３，３に係合しない位置にスライドさせ、リッド５が開く方向に回動すると、ストッパ用バネ１６により付勢されたストッパ６０がベース部材後方側へスライドして、その基部６１が回転体４０の一方のアーム部４３の側面４３ａに係合する（図９〜１１参照）。その結果、回転体４０の回転規制がなされ、リンクロッド７０，７１のフック部７３，７３が、ロック部３，３に係合する方向へ戻ることが規制される。この実施形態では、リンクロッド７０，７１のフック部７３，７３がロック部３，３に係合しない状態に保持される（図１３参照）。
【００４７】
一方、上記状態でグローブボックス１の開口部２をリッド５で閉じると、開口部２周縁の押圧突起４（図２参照）によりストッパ６０の先端部６３が押圧され、ストッパ用バネ１６の付勢力に抗してストッパ６０がベース部材前方側にスライドし、その基部６１が回転体４０のアーム部４３の側面４３ａから離れて、回転体４０との係合が解除される（図６〜８参照）。その結果、回転体４０の回転が許容され、再度トーションバネ１２により回転体４０が図７の矢印Ａ１方向に回転付勢され、リンクロッド７０，７１のフック部７３，７３を、ロック部３，３に係合させる方向に突出させるようになっている（図１２参照）。
【００４８】
次に、上記構成部材からなるロック装置１０の作用効果について説明する。
【００４９】
図１２（Ａ），（Ｂ）に示すように、グローブボックス１の開口部２がリッド５で閉塞された状態では、ストッパ６０がベース部材前方側にスライドして、基部６１と回転体４０のアーム部４３との係合が解除され（図６〜８参照）、トーションバネ１２により回転体４０が図７の矢印Ａ１方向に回転付勢されて、リンクロッド７０，７１のフック部７３，７３が、グローブボックス１のロック部３，３に係合した状態となっている。また、ストッパ６０の基部６１が回転体４０のアーム部４３の前面４３ｂに当接した状態に保持されている（図６及び図８参照）。
【００５０】
この状態でグローブボックス１の開口部２からリッド５を開く場合には、操作部材用バネ１４の付勢力に抗し、ベース部材２０に対して操作部材５０を押し込む。すると、操作部材５０の各壁部５５のカム斜面５５ａにより、回転体４０の各カム突起４５がそれぞれ押圧されて、カム突起４５がカム斜面５５ａ上を摺動すると共に、ストッパ６０の基部６１にアーム部４３の前面４３ｂが摺接しつつ、トーションバネ１２の回転付勢力に抗して、回転体４０が図１２（Ｂ）の矢印Ａ２方向に回転していく。
【００５１】
そして、ストッパ６０の基部６１からアーム部４３の前面４３ｂが離れるまで、回転体４０が回転すると、図９〜１１に示すように、ストッパ用バネ１６によりストッパ６０が付勢されてベース部材後方側へスライドし、その基部６１が回転体４０のアーム部４３の側面４３ａに係合して、回転体４０の回転規制がなされるので、リンクロッド７０，７１のフック部７３，７３がロック部３，３に係合する方向に戻るのを規制して、フック部７３，７３がロック部３，３に係合しない状態に保持され（図１３参照）、グローブボックス１の開口部２からリッド５を移動させて、開口部２を開くことができる。
【００５２】
その後、グローブボックス１の開口部２を再度閉じるべく、リッド５を押し込んでいくと、開口部２側の押圧突起４（図２参照）によって、ストッパ６０の先端部６３が押圧されて、ストッパ用バネ１６の付勢力に抗してストッパ６０がベース部材前方側にスライドして、基部６１が回転体４０のアーム部４３の側面４３ａから離れて、回転体４０との係合が解除されるので（図６〜８参照）、再度トーションバネ１２によって回転体４０が図７の矢印Ａ１方向に回転付勢され、リンクロッド７０，７１のフック部７３，７３がロック部３，３にそれぞれ係合して、グローブボックス１の開口部２をリッド５で閉じた状態にロックすることができる（図１２参照）。
【００５３】
このとき、図９〜１１に示すように、ストッパ６０の基部６１が回転体４０のアーム部４３の側面４３ａに係合して、回転体４０の回転規制がなされて、リンクロッド７０，７１のフック部７３，７３のロック部３への戻りが規制されて、フック部７３，７３がロック部３，３に係合しない状態に保持されるようになっているので、開口部２に対してリッド５を押し込んでいく際に、リンクロッド７０，７１のフック部７３，７３が、開口部２の両側内周面に摺接することを防止して、リッド５を抵抗なくスムーズに閉じることができると共に、その際の打音を低減することができる。
【００５４】
そして、このロック装置１０においては、ストッパ６０を回転体４０に係合させ、又は、回転体４０との係合を解除させて、回転体４０の回転動作を規制するように構成されているので、ストッパ６０を回転体４０に係合させたときに、回転体４０に連動する一対のリンクロッド７０，７１のフック部７３，７３を、ロック部３，３に対して均等に引き込むことができ、一方、ストッパ６０と回転体４０との係合を解除したときには、リンクロッド７０，７１のフック部７３，７３を均等に突出させることができる。その結果、一対のリンクロッド７０，７１のフック部７３，７３の引込み量や突出量の、左右でのばらつきを抑制することができるので、どちらか一方のリンクロッドのフック部７３が、開口部２の内周に引っ掛かったりすること等を防止して、リッド５をスムーズに閉じることができ、その操作性を向上させることができる。
【００５５】
また、この実施形態においては、回転体４０から延出したアーム部４３，４３に、一対のリンクロッド７０，７１の基端側を枢着させ、このアーム部４３を利用して、その側面４３ａにストッパ６０を係合させて、回転体４０の回転規制が図られるようになっているので、回転体４０にストッパ６０が係合する部分を特に設ける必要がなく、回転体４０を簡単な構造にすることができる。
【００５６】
更に、この実施形態においては、回転体４０及びストッパ６０は、リッド５に取付けられた共通のベース部材２０に組み付けられるようになっているので、ベース部材２０に回転体４０及びストッパ６０を一まとめにしてコンパクトに組み付けることができ、組立作業性を向上させると共に、省スペース化を図ることができる。
【００５７】
また、この実施形態においては、回転体４０及びストッパ６０が組み付けられたベース部材２０に、操作部材５０も組み付けられるようになっているので、操作部材５０を回転体４０やストッパ６０に位置合わせした状態で、共通するベース部材２０に組み付けることができ、ロック装置１０の組立作業性を更に向上できると共に、ロック装置１０をよりコンパクトにすることができる。
【００５８】
図１４〜１７には、本発明に係る開閉体のロック装置の第２実施形態が示されている。なお、前記実施形態と実質的に同一部分には同符号を付してその説明を省略する。
【００５９】
この実施形態の開閉体のロック装置１０ａ（以下、「ロック装置１０ａ」）は、ベース部材２０ａの前面側に、操作部材５０ａが上下方向に回動可能に取付けられた構造をなしている。図１６に示すように、前記ベース部材２０ａに回転可能に取付けられた回転体４０ａの前面側には、ピン状の受け部４６が設けられていると共に、前面周縁の所定位置から略扇状の係合片４７が外径方向に突設されている。
【００６０】
図１４に示すように、前記ベース部材２０ａの前面側上方には、操作部材５０ａ裏面の押圧子５７を挿入する切欠き孔２９が形成され、また、天井面２１ｃの後部側の幅方向中央に溝部３２が形成され、その両側周縁から支持片３２ａ，３２ａが立設されており、更に、前記ベース部材２０ａ内には、トーションバネ状のストッパ用バネ１７の設置用のバネ配置壁３５が設けられている。
【００６１】
そして、ベース部材２０ａの前面に取付けられた操作部材５０ａを上方に引き上げると、ベース部材２０ａの切欠き孔２９を通して、押圧子５７が回転体４０ａの受け部４６を押圧し、トーションバネ１２の回転付勢力に抗して回転体４０ａを図１６の矢印Ｂ１方向に回転させ、リンクロッド７０，７１のフック部７３，７３をグローブボックスのロック部に係合しない方向にスライドさせるようになっている。
【００６２】
一方、ストッパ６０ａは、基部６１の前面側に係合凸部６４が設けられていると共に、同基部６１の一側面からバネ支持ピン６５が突設され、更に長手方向途中の両側面から支軸６６，６６が突設されている。これらの支軸６６，６６を各支持片３２ａの軸孔３２ｂに軸支させることで、ストッパ６０ａがベース部材２０ａの前後方向に回動可能となるように組み付けられるようになっている。また、ストッパ用バネ１７の一端部１７ａが、ストッパ６０ａのバネ支持ピン６５に係止されて、図１４の矢印Ｂ２に示すように、ストッパ６０ａの基部６１側がベース部材２０ａの前方に向けて付勢されている。
【００６３】
そして、このロック装置１０ａの場合、グローブボックスの開口部がリッド５で閉塞された状態では、ストッパ６０ａの基部６１側がベース部材後方側に回動し、基部６１と回転体４０ａとの係合が解除され（図１６参照）、トーションバネ１２により回転体４０ａが回転付勢され、リンクロッド７０，７１のフック部７３，７３がグローブボックスのロック部に係合した状態となっている。
【００６４】
上記状態で操作部材５０ａを上方に引き上げると、押圧子５７が受け部４６を押圧し、トーションバネ１２の回転付勢力に抗して、回転体４０ａが図１６の矢印Ｂ１方向に回転すると共に、ストッパ用バネ１７によりストッパ６０ａの基部６１がベース部材前方に押し出されて、図１７に示すように、係合凸部６４の上面６４ａに係合片４７が係合して、回転体４０ａの回転規制がなされ、リンクロッド７０，７１のフック部７３，７３が、グローブボックスのロック部に係合する方向へ戻るのが規制され、ロック部に係合しない状態に保持されるので、グローブボックスの開口部からリッド５を開くことができる。
【００６５】
一方、上記状態でリッド５を押し込むと、押圧突起４（図２参照）によりストッパ６０ａの先端部６３が押圧され、ストッパ用バネ１７の付勢力に抗してストッパ６０ａの基部６１がベース部材後方に回動し、図１６に示すように、係合凸部６４の上面６４ａから係合片４７が離れて、回転体４０ａとの係合が解除され、トーションバネ１２により回転体４０ａが回転付勢されて、リンクロッド７０，７１のフック部７３，７３がグローブボックスのロック部に係合する方向に押し出されて、グローブボックスの開口部をリッド５で閉じることができる。
【００６６】
図１８〜２０には、本発明に係る開閉体のロック装置の第３実施形態が示されている。なお、前記実施形態と実質的に同一部分には同符号を付してその説明を省略する。
【００６７】
この実施形態の開閉体のロック装置１０ｂ（以下、「ロック装置１０ｂ」）は、リンクロッド７１の先端側に、ケース３６に内蔵された押込み式の操作部材５０ｂが設置されており、回転体４０ｂと操作部材５０ｂとが別体となっている。
【００６８】
前記回転体４０ｂは長板状をなし、その一端部の前面側からＬ字状の係合片４８が設けられている。また、ストッパ６０ｂの基部側に空隙６７が形成され、その内部にストッパ用バネ１７が介装されている。更に、長板状のベース部材２０ｂの上部に支持片３７，３７が突設されており、その軸孔３７ａ，３７ａにストッパ６０ｂの支軸６６，６６を軸支させることで、ストッパ６０ｂの基部６１がベース部材２０ｂに近接離反するように、ストッパ６０ｂがベース部材２０ｂに回動可能に組み付けられている。また、ストッパ用バネ１７により、ストッパ６０ａの基部６１側がベース部材２０ｂに近接する方向（図１８矢印Ｃ１参照）に付勢されている。
【００６９】
そして、このロック装置１０ｂの場合、グローブボックスの開口部がリッド５で閉塞された状態では、ストッパ６０ａの基部６１側がベース部材２０ｂから離れて、基部６１と回転体４０ｂとの係合が解除され（図１９参照）、トーションバネ１２により回転体４０ｂが回転付勢され、リンクロッド７０，７１のフック部７３，７３がグローブボックスのロック部に係合した状態となっている。
【００７０】
上記状態で、リンクロッド７１先端側に設置された操作部材５０ｂを押し込むと（図１８矢印Ｃ２参照）、図示しないカム面が形成された受け部７７を介して、リンクロッド７１がリッド内方に押圧されて、トーションバネ１２の回転付勢力に抗して回転体４０ｂが図１８，１９の矢印Ｃ３方向に回転し、リンクロッド７１，７０がリッド内方に引き込まれる。それと共に、ストッパ用バネ１７によりストッパ６０ｂの基部６１がベース部材２０ｂに近接する方向に押し出され、図２０に示すように、Ｌ字状の係合片４８の側面４８ａがストッパ６０ｂの基部６１の側面６１ｃに係合して、回転体４０ｂの回転規制がなされ、リンクロッド７０，７１のフック部７３，７３が、グローブボックスのロック部に係合する方向へ戻るのが規制され、ロック部に係合しない状態に保持されるので、グローブボックスの開口部からリッド５を開くことができる。
【００７１】
一方、上記状態でリッド５を押し込むと、押圧突起４（図２参照）によりストッパ６０ｂの先端部６３が押圧され、ストッパ用バネ１７の付勢力に抗してストッパ６０ａの基部６１がベース部材２０ｂから離れる方向に回動し、図１９に示すように、基部６１の側面６１ｃから係合片４８の側面４８ａが離れて、回転体４０ｂとの係合が解除され、トーションバネ１２により回転体４０ｂが回転付勢されて、リンクロッド７０，７１のフック部７３，７３がグローブボックスのロック部に係合する方向に付勢されて、グローブボックスの開口部をリッド５で閉じることができる。
【００７２】
図２１〜２３には、本発明に係る開閉体のロック装置の第４実施形態が示されている。なお、前記実施形態と実質的に同一部分には同符号を付してその説明を省略する。
【００７３】
この実施形態の開閉体のロック装置１０ｃ（以下、「ロック装置１０ｃ」）は、本発明の「開閉体」であるリッド５の幅方向両側に凹状のロック部が形成され、本発明の「固定体」であるグローブボックスの天井面１ａにベース部材２０ｃが取付けられている。このベース部材２０ｃに回転体４０ｃが回転可能に取付けられると共に、同回転体４０ｃに一対のリンクロッド７０，７１がスライド可能に連結されている。なお、リンクロッド７０の先端部側には、図示しない操作部材が設置されている。
【００７４】
前記ベース部材２０ｃには、ストッパ用バネ１６の一端部を支持するバネ支持壁３４ａ、ストッパ６０ｃをスライドガイドするガイド壁３３ｃ，３３ｃ、及び、ストッパ６０ｃを保持する保持枠３８が立設しており、ストッパ６０ｃは、ストッパ用バネ１６によって、その先端部６３をリッド５側に向けて（図２２の矢印Ｄ１参照）付勢されている。また、回転体４０ｃの一方のアーム部４３には係合片４３ｃが立設し、これがベース部材２０ｃに設けた円弧状の切欠き孔３９に移動可能に挿入されている。更に、ストッパ６０ｃの基部側には、前記係合片４３ｃが入り込む凹部６８が形成されている。
【００７５】
そして、このロック装置１０ｃの場合、グローブボックスの開口部がリッド５で閉塞された状態では、ストッパ６０ｃがグローブボックス後方側にスライドして、その凹部６８に回転体４０ｃの係合片４３ｃが入り込み、基部６１と回転体４０ｃとの係合が解除されて、トーションバネ１２により回転体４０ｃが回転付勢され、リンクロッド７０，７１のフック部７３，７３が、リッド５側のロック部に係合した状態となっている。
【００７６】
上記状態で、リンクロッド７０先端側に設置された図示しない操作部材を押し込むと、リンクロッド７０先端の受け部７７が押されて、トーションバネ１２の回転付勢力に抗して回転体４０ｃが回転して、リンクロッド７１，７０がグローブボックス内方に引き込まれる。それと共に、ストッパ用バネ１６によりストッパ６０ｃが付勢されてリッド側にスライドし、図２２，２３に示すように、回転体４０ｃのアーム部４３の係合片４３ｃの側面４３ｄが、ストッパ６０ｃの基部６１の側面６１ｃに係合して、回転体４０ｃの回転規制がなされ、リンクロッド７０，７１のフック部７３，７３が、リッド５のロック部に係合する方向へ戻るのが規制され、ロック部に係合しない状態に保持されるので、グローブボックスの開口部からリッド５を開くことができる。
【００７７】
一方、上記状態でリッド５を押し込んで、リッド５の押込み孔５ａ内に挿入されて（図２２参照）、ストッパ６０ｃの先端部６３が押圧されると、ストッパ用バネ１６の付勢力に抗して、ストッパ６０ｃがグローブボックス後方側に押し込まれて、その凹部６８（図２３参照）内に回転体４０ｃの係合片４３ｃが入り込んで、ストッパ６０ｃと回転体４０ｃとの係合が解除されると共に、回転体４０ｃを介してリンクロッド７０，７１のフック部７３，７３がリッド５のロック部に係合する方向に付勢されて、グローブボックスの開口部をリッド５で閉じることができる。
【００７８】
以上説明した各実施形態においては、トーションバネ１２を用いて回転体を回転付勢させることで、回転体を介して間接的に一対のリンクロッドをスライド付勢させたが、例えば、引張りばねやコイルスプリング等を用いて、一対のリンクロッドの一方又は両方を、そのフック部がロック部に係合する方向となるように、直接的にスライド付勢してもよい。同じく引張りばねやコイルスプリング等を用いて、回転体を回転付勢させてもよい。この場合、引張りばねやコイルスプリング等が、本発明における「付勢手段」をなす。
【００７９】
また、上記実施形態では、開閉体のロック装置を、グローブボックス１の開口部２にリッド５が開閉可能に取付けられた構造に適用したが、これに限定されず、例えば、インストルメントパネルの開口部にグローブボックスが回動可能に取付けられた構造や（インストルメントパネルが「固定体」、グローブボックスが「開閉体」をなす）、インストルメントパネルの開口部にリッドが開閉可能に取付けられた構造（インストルメントパネルが「固定体」、リッドが「開閉体」をなす）等に適用してもよく、固定体の開口部を開閉する各種の開閉体に広く用いることができる。
【００８０】
更に、上記実施形態では、一対のリンクロッド７０，７１は、回転体に枢着される基端部側と、フック部を含む部分とが連続して設けられた一体成形品となっているが、回転体に枢着される基端部側と、それ以外の部分とを別体で形成して、連結するようにしてもよく、特に限定されるものではない。
【符号の説明】
【００８１】
１  グローブボックス（固定体）
３，３ ロック部
５  リッド（開閉体）
１０，１０ａ，１０ｂ，１０ｃ  開閉体のロック装置（ロック装置）
１２  トーションバネ（付勢手段）
２０，２０ａ，２０ｂ，２０ｃ，２０ｄ  ベース部材
４０，４０ａ，４０ｂ，４０ｃ  回転体
４３  アーム部
４３ａ，４３ｄ  側面
５０，５０ａ，５０ｂ  操作部材
６０，６０ａ，６０ｂ，６０ｃ  ストッパ
７０，７１  リンクロッド
７３  フック部
【図１】
2014095232.tif 000003
【図２】
2014095232.tif 000004
【図３】
2014095232.tif 000005
【図４】
2014095232.tif 000006
【図５】
2014095232.tif 000007
【図６】
2014095232.tif 000008
【図７】
2014095232.tif 000009
【図８】
2014095232.tif 000010
【図９】
2014095232.tif 000011
【図１０】
2014095232.tif 000012
【図１１】
2014095232.tif 000013
【図１２】
2014095232.tif 000014
【図１３】
2014095232.tif 000015
【図１４】
2014095232.tif 000016
【図１５】
2014095232.tif 000017
【図１６】
2014095232.tif 000018
【図１７】
2014095232.tif 000019
【図１８】
2014095232.tif 000020
【図１９】
2014095232.tif 000021
【図２０】
2014095232.tif 000022
【図２１】
2014095232.tif 000023
【図２２】
2014095232.tif 000024
【図２３】
2014095232.tif 000025